(57)【要約】      （修正有）【課題】人物の顔がフレームに収まるように撮像することができる撮像装置を提供する。【解決手段】撮像装置は、撮像対象を検出する検出部１３２１と、特定の撮像対象を認証するための特定認証データ１５１を記憶する記憶部１５と、記憶部に記憶された特定認証データに基づき、検出部によって検出された撮像対象が特定の撮像対象であることを認証する認証部１３２３と、撮像範囲を調整し、調整した撮像範囲の撮像を実行する撮像部１１，１２と、認証部によって認証された特定の撮像対象が撮像部によって調整された撮像範囲に含まれるか否かを判定する判定部１３２４と、を有し、撮像部は、判定部によって特定の撮像対象が撮像範囲に含まれるものと判定された場合に、撮像範囲の撮像を実行する。【選択図】図３
2010177896.tif 000002
【特許請求の範囲】
【請求項１】
撮像対象を検出する検出部と、
特定の撮像対象を認証するための特定認証データを記憶する記憶部と、
前記記憶部に記憶された前記特定認証データに基づき、前記検出部によって検出された前記撮像対象が前記特定の撮像対象であることを認証する認証部と、
撮像範囲を調整し、調整した撮像範囲の撮像を実行する撮像部と、
前記認証部によって認証された前記特定の撮像対象が前記撮像部によって調整された前記撮像範囲に含まれるか否かを判定する判定部と、
を有し、
前記撮像部は、
前記判定部によって前記特定の撮像対象が前記撮像範囲に含まれると判定された場合に、前記撮像範囲の撮像を実行する
撮像装置。
【請求項２】
撮像対象を検出する検出部と、
撮像範囲を調整し、調整した撮像範囲の撮像を実行する撮像部と、
予め設定された数の前記撮像対象が前記撮像部によって調整された前記撮像範囲に含まれるか否かを判定する判定部と、
を有し、
前記撮像部は、
前記判定部によって前記予め設定された数の前記撮像対象が前記撮像範囲に含まれると判定された場合に、前記撮像範囲の撮像を実行する
撮像装置。
【請求項３】
前記撮像範囲において、前記検出部によって検出された前記撮像対象の数をカウントするカウント部を有し、
前記判定部は、
前記認証部によって認証された前記特定の撮像対象の顔が前記撮像範囲に含まれるか否かを判定し、
前記撮像部は、
前記判定部によって前記特定の撮像対象の顔が前記撮像範囲に含まれるものと判定された場合に、前記カウント部のカウント値に基づき、前記撮像範囲の撮像を実行する
請求項１記載の撮像装置。
【請求項４】
一度の撮像指示に基づき、所定の時間間隔で複数回の撮像を行う連写モードを有し、
前記判定部は、
前記連写モードが有効の場合に、前記認証部によって認証された前記特定の撮像対象が前記撮像範囲に含まれるか否かを前記撮像毎に判定し、
前記撮像部は、
前記連写モードが有効の場合、かつ、前記判定部によって前記特定の撮像対象が前記撮像範囲に含まれるものと判定された場合に、前記撮像範囲の撮像を実行する
請求項１または２記載の撮像装置。
【請求項５】
前記連写モードが有効の場合において、
前記撮像部は、
前記複数回の撮像の終了毎に、前記撮像範囲を変更し、
前記判定部によって前記特定の撮像対象が前記撮像範囲に含まれないものと判定された場合には、前記撮像範囲を更に変更する
請求項４記載の撮像装置。
【発明の詳細な説明】
【技術分野】
【０００１】
本発明は、例えば、ズームイン、ズームアウト、および連写が可能な撮像装置に関するものである。
【背景技術】
【０００２】
カメラ等の撮像装置を用いて撮像を行う際には、人物が適切に写るように、ズームインあるいはズームアウト（ズームイン／ズームアウト）の操作が行われる。また、動きのある人物を簡単に撮像できるように、人物の顔を検出することによって、撮像を行う撮像装置が開示されている（特許文献１）。
【先行技術文献】
【特許文献】
【０００３】
【特許文献１】特開２００８−２７６２１４号公報
【発明の概要】
【発明が解決しようとする課題】
【０００４】
特許文献１が開示する技術では、動きのある人物に焦点を合わせて撮像することができるが、撮像すべき人物の顔の一部がフレームから外れ、顔全体を撮像できない場合がある。
【０００５】
本発明は、人物の顔がフレームに収まるように撮像することができる撮像装置を提供することにある。
【課題を解決するための手段】
【０００６】
本発明の第１の観点の撮像装置は、撮像対象を検出する検出部と、特定の撮像対象を認証するための特定認証データを記憶する記憶部と、前記記憶部に記憶された前記特定認証データに基づき、前記検出部によって検出された前記撮像対象が前記特定の撮像対象であることを認証する認証部と、撮像範囲を調整し、調整した撮像範囲の撮像を実行する撮像部と、前記認証部によって認証された前記特定の撮像対象が前記撮像部によって調整された前記撮像範囲に含まれるか否かを判定する判定部と、を有し、前記撮像部は、前記判定部によって前記特定の撮像対象が前記撮像範囲に含まれると判定された場合に、前記撮像範囲の撮像を実行する。
【０００７】
本発明の第２の観点の撮像装置は、撮像対象を検出する検出部と、撮像範囲を調整し、調整した撮像範囲の撮像を実行する撮像部と、予め設定された数の前記撮像対象が前記撮像部によって調整された前記撮像範囲に含まれるか否かを判定する判定部と、を有し、前記撮像部は、前記判定部によって前記予め設定された数の前記撮像対象が前記撮像範囲に含まれると判定された場合に、前記撮像範囲の撮像を実行する。
【０００８】
好適には、本発明の撮像装置は、前記撮像範囲において、前記検出部によって検出された前記撮像対象の数をカウントするカウント部を有し、前記判定部は、前記認証部によって認証された前記特定の撮像対象の顔が前記撮像範囲に含まれるか否かを判定し、前記撮像部は、前記判定部によって前記特定の撮像対象の顔が前記撮像範囲に含まれるものと判定された場合に、前記カウント部のカウント値に基づき、前記撮像範囲の撮像を実行する。
【０００９】
好適には、本発明の撮像装置は、一度の撮像指示に基づき、所定の時間間隔で複数回の撮像を行う連写モードを有し、前記判定部は、前記連写モードが有効の場合に、前記認証部によって認証された前記特定の撮像対象が前記撮像範囲に含まれるか否かを前記撮像毎に判定し、前記撮像部は、前記連写モードが有効の場合、かつ、前記判定部によって前記特定の撮像対象が前記撮像範囲に含まれるものと判定された場合に、前記撮像範囲の撮像を実行する。
【００１０】
好適には、本発明の撮像装置は、前記連写モードが有効の場合において、前記撮像部は、前記複数回の撮像の終了毎に、前記撮像範囲を変更し、前記判定部によって前記特定の撮像対象が前記撮像範囲に含まれないものと判定された場合には、前記撮像範囲を更に変更する。
【発明の効果】
【００１１】
本発明によれば、人物の顔がフレームに収まるように撮像することができる。
【図面の簡単な説明】
【００１２】
【図１】図１は、本発明の実施形態に係る撮像装置の構成例を示す概略ブロック図である。
【図２】図２は、本発明の実施形態に係る顔認証モードを説明するための模式図である。
【図３】図３は、本発明の実施形態に係る信号処理部および制御部の詳細な構成例を示すブロック図である。
【図４】図４は、本発明の実施形態に係る撮像装置の動作例を示すフローチャートである。
【発明を実施するための形態】
【００１３】
以下、本発明の実施形態を図面に関連付けて説明する。
【００１４】
［撮像装置１の全体像］
図１は、本発明の実施形態に係る撮像装置の構成例を示す概略ブロック図である。
図１に図示するように、撮像装置１は、光学系１１、撮像部１２、信号処理部１３、制御部１４、記憶部１５、タイマ部１６、表示部１７、操作部１８およびスピーカ１９を有する。
なお、光学系１１および撮像部１２は、本発明の撮像部に対応する。
【００１５】
撮像装置１は、本実施形態の特徴として、ズームイン／ズームアウトモード、セルフタイマモード、プレビューモード、顔認証モード、および連写モードを有する。
【００１６】
ズームイン／ズームアウトモードは、ズームインあるいはズームアウトを行って、被写体ＯＢＪを撮像（撮影）することができるモードである。セルフタイマモードは、設定時間の経過後に自動的に被写体ＯＢＪを撮像することができるモードである。プレビューモードは、撮像を行う前に撮像画像（写真）の仕上がり具合を確認することができるモードである。
【００１７】
図２は、本発明の実施形態に係る顔認証モードを説明するための模式図である。
図２に図示するように、顔認証モードは、被写体ＯＢＪが人物であった場合に、撮像すべき人物（特定の撮像対象）Ｆの顔がフレームＦＲＭ内に最適に収まるように、被写体ＯＢＪを撮像することができるモードである。フレームＦＲＭは、撮像範囲を指す。
顔認証モードでは、始めに、フレームＦＲＭ内の人物Ｆおよび人物Ｆ１の顔が自動的に検出される。次に、撮像すべき人物Ｆを確実に撮像するため、人物Ｆの顔が予め登録されている顔であることの認証が行われる。そして、人物Ｆの顔が認証された場合には、この顔がフレームＦＲＭ内に写る範囲でズームイン／ズームアウトが行われた後、撮像が行われる。
この顔認証モードにより、撮像すべき人物Ｆの顔をフレームＦＲＭから外すことなく、撮像することができる。
【００１８】
連写モードは、一度の撮像指示で、所定の時間間隔（例えば、０．１秒）で複数回の撮像を行うモードである。
【００１９】
光学系１１は、レンズ１１１を有する。レンズ１１１は、ズームイン／ズームアウトに対応するため、例えば、ズームレンズによって構成されている。レンズ１１１は、被写体ＯＢＪの像を撮像部１２の撮像面に結像させる。制御部１４によって、レンズ同士の距離が制御されることにより、光学的にズームアウト／ズームインを行うことができる。即ち、撮像範囲を調整することができる。
この他、光学系１１は、例えば、光量を調節する絞り（不図示）や光学ローパスフィルタ（不図示）を有する。光学ローパスフィルタは、ナイキスト周波数以上の高周波成分をカットすることができるフィルタである。
【００２０】
撮像部１２は、例えば、ＣＣＤ（Charge Coupled Device）によって構成されている。撮像部１２をＣＭＯＳ（Complementary Metal Oxide Semiconductor）イメージセンサ等の固体撮像素子によって構成することもできる。
撮像部１２は、制御部１４の制御に基づいて、光学系１１を介して入射された光をその光量に応じたアナログ信号に変換する。そして、撮像部１２は、撮像データとしてのアナログ信号Ｓ１２を信号処理部１３に出力する。
【００２１】
信号処理部１３は、画像処理部１３１、顔データ処理部１３２、表示処理部１３３および音処理部１３４を有する。
信号処理部１３は、例えば、ＤＳＰ（Digital Signal Processor）で構成されている。信号処理部１３は、制御部１４の制御に基づいて、撮像部１２から入力されたアナログ信号Ｓ１２に対して画像処理を施し、顔データ処理、表示処理、入力処理、音声処理等を行う。
【００２２】
画像処理部１３１の主な処理内容について説明する。画像処理部１３１は、撮像部１２から入力されたアナログ信号Ｓ１２をデジタル信号に変換する。そして、画像処理部１３１は、撮像データとしてのデジタル信号に対して、カラー補間、ガンマ補正、ホワイトバランス処理等の画像処理を施す。画像処理部１３１は、デジタル的に、画像をズームイン／ズームアウトすることもできる。
この他、画像処理部１３１は、画像処理が施された画像に対して、圧縮処理、ファイリング処理等を施す。画像処理部１３１は、処理後の画像を顔データ処理部１３２に出力する。
【００２３】
顔データ処理部１３２の主な処理内容について説明する。顔データ処理部１３２は、顔認証モードにおいて、顔データ処理を行う。顔データ処理では、検出処理、カウント処理、認証処理、および判定処理が行われる。
【００２４】
具体的には、顔データ処理部１３２は、画像処理部１３１から入力された画像から、人物の顔を検出する（検出処理）。そして、顔データ処理部１３２は、検出した顔の数をカウントする（カウント処理）。
そして、顔データ処理部１３２は、記憶部１５に記憶されているデータベース（図３参照）を参照し、検出した顔と、予め登録されている顔とを比較する（認証処理）。両者が一致する場合には、顔データ処理部１３２は、検出した顔が予め登録されている顔であるものと認証する。
そして、顔データ処理部１３２は、認証した顔がフレームＦＲＭ内に収まるか否かの判定を行う（判定処理）。顔データ処理部１３２によって、認証された顔がフレームＦＲＭ内に収まるものと判定された場合に、撮像が行われる。
【００２５】
表示処理部１３３の主な処理内容について説明する。表示処理部１３３は、例えば、画像処理部１３１によって画像処理された画像に対して、ＹＣｂＣｒ変換処理を施す。ＹＣｂＣｒ変換処理は、画像を輝度信号（Ｙ）と色信号（Ｃｂ、Ｃｒ）とに分離する処理である。ＹＣｂＣｒ変換処理後、表示処理部１３３は、輝度信号および色信号を表示部１７に出力する。これによって、表示部１７には、撮像画像が表示される。
【００２６】
音処理部１３４は、制御部１４の制御に基づいて、例えば、エラー音、シャッター音、セルフタイマの進捗音等を生成し、これをスピーカ１９に出力する。
【００２７】
制御部１４は、ＣＰＵ、ＤＳＰ、マイクロプロセッサ等の処理装置で構成されている。制御部１４は、撮像装置１全般の制御、即ち、光学系１１、撮像部１２、信号処理部１３、記憶部１５、タイマ部１６、表示部１７、およびスピーカ１９の制御を行う。制御部１４の詳細については後述する。
【００２８】
記憶部１５は、例えば、不揮発性の記憶デバイス（フラッシュメモリ）やランダムアクセス可能な記憶デバイス（ＳＲＡＭ、ＤＲＡＭ）で構成されている。記憶部１５には、データベース（図３参照）が記憶されている。データベースには、撮像すべき人物（図２に図示されるＦ）の顔写真等の顔データが登録されている。登録する顔データは、複数であってもよい。
この他、記憶部１５には、アプリケーションプログラム、制御部１４の出力結果、プログラムの処理過程で利用される一時的なデータ等が記憶される。
【００２９】
タイマ部１６は、セルフタイマモードの選択時に、時間をカウントする。カウントする時間の単位は、例えば、秒である。
【００３０】
表示部１７は、例えば、液晶ディスプレイ（ＬＣＤ；Liquid Crystal Display）によって構成されている。表示部１７は、プレビューモードにおけるプレビュー画面、信号処理部１３によって処理された撮像画像、エラーメッセージ等を表示する。
【００３１】
操作部１８は、操作によって入力された操作信号をユーザの指示として制御部１４に出力する。
【００３２】
スピーカ１９は、制御部１４の制御に基づいて、エラー音、シャッター音、セルフタイマの進捗音等を放音する。
【００３３】
［信号処理部１３および制御部１４の詳細］
信号処理部１３および制御部１４の詳細な構成例を図３に関連づけて説明する。
図３は、本発明の実施形態に係る信号処理部および制御部の詳細な構成例を示すブロック図である。
図３には、光学系１１、撮像部１２、信号処理部１３、制御部１４、記憶部１５、タイマ部１６、表示部１７、およびスピーカ１９が各々図示されている。
【００３４】
［顔データ処理部１３２］
顔データ処理部１３２について説明する。顔データ処理部１３２は、検出部１３２１、カウント部１３２２、認証部１３２３、および判定部１３２４を有する。
【００３５】
検出部１３２１は、画像処理部１３１によって画像処理が施された画像から人物の顔を検出する。人物の顔の検出方法としては、例えば、画像から肌色を検出することによって、人物の顔を検出する方法が採用されている。検出部１３２１は、検出した顔を検出データ１５２として記憶部１５に格納する。
【００３６】
カウント部１３２２は、カウント処理を行う。詳細には、カウント部１３２２は、検出部１３２１によって検出された顔の数をカウントする。
【００３７】
認証部１３２３は、記憶部１５に記憶されているデータベース１５１を参照し、検出した顔と、予め登録されている顔とを比較する。
両者が一致する場合、認証部１３２３は、検出した顔が予め登録されている顔であるものと認証する。一方、両者が不一致の場合、認証部１３２３は、検出した顔がデータベース１５１に登録されている顔でないものとし、認証を拒否する。
【００３８】
認証処理の具体例を挙げる。記憶部１５には、データベース１５１が記憶されている。このデータベース１５１には、予め、Ｎ人の顔データ１〜Ｎが登録されているものとする。例えば、検出部１３２１が、１人の顔（例えば、顔データ１）を検出したものとする。この場合、検出部１３２１は、検出した顔を検出データ１５２として記憶部１５に格納する。
【００３９】
このとき、認証部１３２３は、記憶部１５から検出データ１５２を読み出し、検出した顔をデータベース１５１に登録されているＮ人の顔データ１〜Ｎと逐次比較する。そして、認証部１３２３は、検出した顔が顔データ１に一致した場合、検出した顔が顔データ１であるものと認証する。
【００４０】
検出される顔の数が複数の場合もある。例えば、カウント部１３２２のカウント数が２の場合、即ち、検出部１３２１が２人の顔（例えば、顔データ１および３）を同時に検出した場合、認証部１３２３は、各々の顔に対してＮ人の顔データ１〜Ｎと逐次比較する。そして、認証部１３２３は、検出した２人の顔が顔データ１、３に一致した場合、検出した顔が顔データ１、３であるものと認証する。
なお、認証処理の際に行われる顔の比較は、好適に行うことができる。例えば、両者の目、口、鼻の特徴点の８０％が一致すれば、両者が一致するものと認証することができる。
【００４１】
判定部１３２４は、認証部１３２３によって認証された顔がフレームＦＲＭ内に収まるか否かの判定を行う。
認証された顔がフレームＦＲＭ内に収まる場合、撮像部１２は、フレームＦＲＭ内の撮像を行う。
一方、認証された顔がフレームＦＲＭ内に収まらない場合、撮像すべき人物ＦがフレームＦＲＭ内に収まる範囲内でズームイン／ズームアウトされた後、撮像部１２は、フレームＦＲＭ内の撮像を行う。
カウント部１３２２のカウント数が複数の場合、判定部１３２４は、認証された全ての人物の顔がフレームＦＲＭ内に収まるか否かの判定を行う。
【００４２】
［制御部１４の詳細］
制御部１４は、カメラ制御部１４１、ズーム制御部１４２、モード管理部１４３、連写制御部１４４、およびタイマ制御部１４５を有する。
【００４３】
カメラ制御部１４１は、主制御部として、撮像装置１全般の制御を行う。具体的には、カメラ制御部１４１は、ズーム制御部１４２、モード管理部１４３、連写制御部１４４、およびタイマ制御部１４５に、各々が適切に動作するように指示を与える。
【００４４】
ズーム制御部１４２は、ズームイン／ズームアウトの制御を光学系１１に対して行う。顔認証モードが選択され、認証部１３２３によって認証された人物Ｆの顔がフレームＦＲＭ内に収まらない場合、ズーム制御部１４２は、撮像すべき人物Ｆの顔がフレームＦＲＭ内に収まるように、ズームアウトする。
ただし、ズームアウトが過ぎた場合、撮像すべき人物Ｆの顔がフレームＦＲＭ内に収まったとしても、撮像される顔のサイズが小さくなりすぎるため、ズームアウトする回数に制限が設けられている。
具体的には、ズーム制御部１４２は、ズームアウトを行う毎に、その回数を記憶部１５に記録する。ズーム制御部１４２は、現在のズームアウトの回数がモード設定値１５３に設定されているズーム規定回数（例えば３回）以内の場合、ズームアウトを行う。
【００４５】
モード管理部１４３は、選択されたモードを適切に実行するための管理を行う。具体的には、モード管理部１４３は、選択中のモード、モードの設定値等をモード設定値１５３として記憶部１５に格納する。
モードの設定値には、例えば、顔認証モードにおけるズーム規定回数、連写モードにおける連写規定回数が設定されている。ズーム規定回数は、３回等、好適に設定することができる。
【００４６】
連写モードが選択された場合、モード管理部１４３は、記憶部１５のモード設定値１５３を読み出し、連写モードを適切に実行することができるように、連写制御部１４４に連写規定回数を出力する。
顔認証モードが選択された場合、モード管理部１４３は、記憶部１５のモード設定値１５３を読み出し、顔認証モードを適切に実行することができるように、ズーム制御部１４２にズーム規定回数を出力する。
【００４７】
連写制御部１４４は、連写モードが選択された場合、モード設定値１５３に登録されている連写回数から１回を減算する。そして、連写制御部１４４は、これを連写回数データ１５４として記憶部１５に格納する。そして、連写制御部１４４は、現在の連写回数が連写規定回数に達したか否かを判定する。
【００４８】
タイマ制御部１４５は、タイマ部１６の動作を制御する。記憶部１５には、セルフタイマ設定１５５が記憶されている。このセルフタイマ設定１５５には、セルフタイマ時間（例えば１０秒）が設定されている。
セルフタイマモードが選択された場合、タイマ制御部１４５は、タイマ部１６に撮像指示からの経過時間をカウントさせる。そして、タイマ制御部１４５は、経過時間がセルフタイマ設定１５５に設定されているセルフタイマ時間に達したとき、撮像部１２に撮像を実行させるための指示をカメラ制御部１４１に出力する。
［撮像装置１の動作例］
撮像装置１の動作例を図４に関連付けて説明する。
図４は、本発明の実施形態に係る撮像装置の動作例を示すフローチャートである。
【００４９】
以下、フレームＦＲＭには、人物が含まれているものとする。また、顔認証モードが選択されたものとする。
図４に図示するように、撮像指示が撮像装置１に与えられた場合（ＳＴ１のＹＥＳ）、検出部１３２１は、検出処理を行う。（ＳＴ２）。一方、撮像指示が与えられない場合（ＳＴ１のＮＯ）、検出処理は行われない。
【００５０】
ステップＳＴ２において、検出部１３２１は、画像処理部１３１によって画像処理が施された画像から人物の顔を検出する。そして、検出部１３２１は、検出した顔を検出データ１５２として記憶部１５に格納する。
【００５１】
その後、カウント部１３２２は、検出部１３２１によって検出された顔の数をカウントする（ＳＴ３）。そして、認証部１３２３は、記憶部１５に記憶されているデータベース１５１を参照し、検出した顔と、予め登録されている顔とを比較する（ＳＴ４）。
【００５２】
ステップＳＴ４において、両者が一致する場合には（ＹＥＳ）、認証部１３２３は、検出した顔が予め登録されている顔であるものと認証する。そして、判定処理（ＳＴ５）が行われる。
一方、両者が不一致の場合には（ＮＯ）、認証部１３２３は、検出した顔がデータベース１５１に登録されている顔でないものとし、認証を拒否する。そして、撮像が終了する。
【００５３】
ステップＳＴ５において、判定部１３２４は、認証部１３２３によって認証された顔がフレームＦＲＭ内に収まるか否かの判定を行う。カウント部１３２２によるカウント数が複数の場合、判定部１３２４は、認証された全ての顔がフレームＦＲＭ内に収まるか否かの判定を行う。
認証された全ての顔がフレームＦＲＭ内に収まる場合（ＹＥＳ）、撮像部１２は、フレームＦＲＭ内の撮像を行う（ＳＴ６）。
【００５４】
一方、認証された全ての顔がフレームＦＲＭ内に収まらない場合（ＮＯ）、全ての顔がフレームＦＲＭ内に収まるようにズームアウトされる。詳細には、ズーム制御部１４２は、ズームアウトの回数を１回加算し、その回数を記憶部１５に記録する（ＳＴ７）。
【００５５】
ステップＳＴ８において、現在のズームアウトの回数がズーム規定回数以下の場合（ＮＯ）、ズーム制御部１４２は、光学系１１を制御して、ズームアウトを行う（ＳＴ９）。その後、検出処理（ＳＴ２）が再開される。
一方、現在のズームアウトの回数がズーム規定回数を超えた場合（ＹＥＳ）、音処理部１３４は、エラー音を生成し、これをスピーカ１９に出力する（ＳＴ１０）。このとき、表示処理部１３３は、ズームアウトの回数がズーム規定回数を超え、被写体ＯＢＪ（顔）が小さくなり過ぎた旨を知らせるエラー表示を表示部１７に表示させる。
【００５６】
ところで、連写モードがオンに設定されている場合（ＳＴ１１のＹＥＳ）、再び撮像が行われる前に、ステップＳＴ１２〜ＳＴ１４以下の処理が行われる。
詳細には、ステップＳＴ６における撮像後に、連写制御部１４４は、モード設定値１５３に登録されている連写規定回数から１回を減算する（ＳＴ１２）。そして、連写制御部１４４は、現在の連写回数が連写規定回数に達したか否かを判定する（ＳＴ１３）。
【００５７】
現在の連写回数が連写規定回数以下の場合（ＮＯ）、ズーム制御部１４２は、光学系１１を制御して、ズームインを行う（ＳＴ１４）。このとき、ズーム制御部１４２は、ズーム倍率が最大となるように、ズームインを行ってもよい。その後、検出処理（ＳＴ２）が再開される。
ステップＳＴ１４の処理により、撮像すべき人物Ｆの顔がフレームＦＲＭ内に入らない場合に、ズームアウトのみの制御で、撮像すべき人物Ｆの顔をフレームＦＲＭ内に納めることができる。
【００５８】
一方、現在の連写回数が連写規定回数に達した場合（ＹＥＳ）、撮像が終了する（ＳＴ１５）。
【００５９】
以上、本実施形態によれば、撮像すべき人物Ｆの顔がフレームＦＲＭ内に収まるように、撮像することができる。特に、連写モードでは、１回の撮像指示を出すだけで、撮像すべき人物Ｆの顔がフレームＦＲＭ内に収まるように、連写を行うことができる。
撮像すべき人物Ｆの顔が自動的に認証されるので、データベース１５１に撮像すべき人物Ｆの顔を登録しておけば、複雑な操作を行わずとも、撮像すべき人物Ｆの顔がフレームＦＲＭに収まるように撮像することができる。
【００６０】
［撮像装置１の変形例］
撮像装置１を次のように構成することができる。
ステップＳＴ１では、ユーザが撮像指示を出す代わりに、セルフタイマモードを使用することもできる。この場合、タイマ部１６による時間のカウントが１０秒を経過した後、タイマ制御部１４５は、ステップＳＴ２〜ＳＴ１５の処理を行うように、撮像指示を出す。
このように、セルフタイマモードを使用することで、撮像装置１を操作するユーザ自身の撮像を行うことが可能となる。
【００６１】
撮像すべき人物Ｆの顔がフレームＦＲＭ内に収まらない場合には、この顔がフレームＦＲＭ内に収まるように、自動的にズームアウトが行われるが、予めズームアウトの倍率を設定しておくこともできる。
これにより、顔のみをズームインして撮像することや、全身が写るように撮像することができる。
【００６２】
プレビューモードで表示部１７に表示された画像を確認しながら、手動でズームイン／ズームアウトを行って、ズーム倍率をパターン毎に設定しておくことができる。
例えば、１パターン目には、背景（例えば、山や建物）と、撮像すべき人物Ｆの全身が写るように、ズーム倍率を設定しておく。２パターン目には、撮像すべき人物Ｆの全身が写るように、ズーム倍率を設定しておく。３パターン目には、撮像すべき人物全員の顔が写るように、ズーム倍率を設定しておく。これらの設定は、パターン毎に記憶部１５に記憶される。
そして、状況に応じてパターンを選択することで、簡単に所望するズーム倍率の撮像を行うことができる。
【００６３】
認証部１３２３がデータベース１５１を参照して、予め登録されている人物の認証をおこなう代わりに、撮像すべき人物Ｆの顔を手動で選択できるようにすることもできる。
この場合、表示部１７をタッチパネルで構成することが望ましい。タッチパネルは、表示だけでなく、指をその表示面に押下あるいは接触させることにより、操作を行うことができるものである。
例えば、プレビューモードで表示部１７に（複数の）顔を表示させ、撮像すべき人物Ｆの顔を指によるタッチで直接選択できるように、撮像装置１を構成することができる。
【００６４】
認証部１３２３による認証処理を行うために、データベース１５１に撮像すべき人物Ｆの顔を予め登録するが、その登録方法は、好適に行うことができる。
例えば、ＵＳＢ（Universal Serial Bus）を使用して、他の撮像装置から撮像すべき人物Ｆの顔が写っている画像を撮像装置１に取り込み、この顔をデータベース１５１に登録することができる。
あるいは、表示部１７をタッチパネルで構成し、プレビューモードで表示部１７に表示された顔の中から、撮像すべき人物Ｆの顔を指によるタッチで選択して、その顔をデータベース１５１に登録することができる。
あるいは、撮像する毎に、撮像したい人の顔をデータベース１５１に取り込むこともできる。
【００６５】
ステップＳＴ５において、認証された全ての顔がフレームＦＲＭ内に収まった場合に、例えば、ＬＥＤ（Light Emitting Diode）を点灯させて、この旨を示すこともできる。
【００６６】
本実施形態では、静止画を例に挙げて説明したが、撮像装置１は、静止画の代わりに動画の処理を行うこともできる。この場合、１枚の画像毎に上述した処理（図４参照）が行われる。撮像装置１は、例えば、デジタルカメラ、携帯電話機、ＰＨＳ（Personal Handy-phone System）、ビデオカメラの他、撮像機能を有する種々の電子機器に搭載することができる。
【符号の説明】
【００６７】
１…撮像装置、１１…光学系、１２…撮像部、１３…信号処理部、１４…制御部、１５…記憶部、１６…タイマ部、１７…表示部、１８…操作部、１９…スピーカ、１１１…レンズ、１３１…画像処理部、１３２…顔データ処理部、１３３…表示処理部、１３４…音処理部、１４１…カメラ制御部、１４２…ズーム制御部、１４３…モード管理部、１４４…連写制御部、１４５…タイマ制御部、１５１…データベース、１５２…検出データ、１５３…モード設定値、１５４…連写回数データ、１５５…セルフタイマ設定、１３２１…検出部、１３２２…カウント部、１３２３…認証部、１３２４…判定部
【図１】
2010177896.tif 000003
【図２】
2010177896.tif 000004
【図３】
2010177896.tif 000005
【図４】
2010177896.tif 000006